(57)【要約】  本発明は、呼気検査装置に関する。呼気検査装置は、呼気者（すなわち、提供されるサンプルを吐く人）からの呼気中の向精神物質を感知するためのセンサを含む。呼気を呼気者に戻らないように誘導するための呼気ガイドが設けられている。有利には、ガイドは、感染症の拡散の可能性を最小限にするように、呼気者に戻されないように呼気を誘導する。【選択図】図1
2019515305.tif 000002
【特許請求の範囲】
【請求項１】
呼気検査装置であって、
呼気者からの呼気中の向精神物質を感知するためのセンサと、
前記呼気が呼気者に戻らないように前記呼気を誘導する呼気ガイドと
を含む、呼気検査装置。
【請求項２】
前記ガイドは、感染症の拡散の可能性を最小限にするように、前記呼気者に戻されないように前記呼気を誘導する、請求項1に記載の呼気検査装置。
【請求項３】
前記ガイドは、前記呼気者から呼気を受け入れるための呼気レセプタクルを含む、請求項1または2に記載の呼気検査装置。
【請求項４】
前記レセプタクルは、漏斗を含む、請求項3に記載の呼気検査装置。
【請求項５】
前記ガイドは、前記受け入れられた呼気を前記呼気者に戻されないように方向転換させる呼気方向転換手段を含む、請求項1〜4のいずれか一項に記載の呼気検査装置。
【請求項６】
前記呼気方向転換手段は、漏斗を含む、請求項5に記載の呼気検査装置。
【請求項７】
前記ガイドを受け入れるためのウェルをさらに含む、請求項1〜6のいずれか一項に記載の呼気検査装置。
【請求項８】
前記ガイドは、漏斗を支持する壁を含む、請求項1〜7のいずれか一項に記載の呼気検査装置。
【請求項９】
前記壁は、方向転換された呼気が通過する1つまたは複数の開口を画定する、請求項8に記載の呼気検査装置。
【請求項１０】
前記検査の結果を表示するディスプレイをさらに含む、請求項1〜9のいずれか一項に記載の呼気検査装置。
【請求項１１】
前記結果は合格または不合格である、請求項10に記載の呼気検査装置。
【請求項１２】
呼気検査装置のための呼気ガイドであって、
呼気者から呼気を受け入れるための呼気レセプタクルと、
前記受け入れた呼気を、前記呼気者に戻らないように方向転換させるための呼気方向転換手段と
を含む、呼気ガイド。
【請求項１３】
前記レセプタクルは、漏斗を含む、請求項12に記載の呼気ガイド。
【請求項１４】
前記呼気方向転換手段は、前記漏斗の下面を含む、請求項13に記載の呼気ガイド。
【請求項１５】
前記漏斗が円弧状である、請求項13または14に記載の呼気ガイド。
【請求項１６】
ウェルに受け入れられる、請求項12〜15のいずれか一項に記載の呼気ガイド。
【請求項１７】
漏斗を支持する壁をさらに含む、請求項12〜16のいずれか一項に記載の呼気ガイド。
【請求項１８】
前記壁は、方向転換された呼気が通過する1つまたは複数の開口を画定する、請求項17に記載の呼気ガイド。
【請求項１９】
前記壁は円筒状である、請求項17または18に記載の呼気ガイド。
【請求項２０】
漏斗と整合するセンサをさらに含む、請求項12〜19のいずれか一項に記載の呼気ガイド。
【発明の詳細な説明】
【技術分野】
【０００１】
本発明は、一般に呼気検査装置に関する。本発明は、排他的用途ではないが、向精神物質、特にアルコールの存在を検査するための呼気検査装置に特に適用される。
【背景技術】
【０００２】
本明細書中の任意の従来技術への言及は、従来技術が共通の一般知識の一部を形成することの承認または任意の形式の示唆としては解釈されず、また解釈されるべきではない。
【０００３】
向精神物質は人間の能力を損なう可能性がある。雇用者は、職場で最適な結果およびコンプライアンスを確保するために、アルコールまたは薬物などの向精神物質について従業員を検査することができる。
【先行技術文献】
【特許文献】
【０００４】
【特許文献１】国際公開第２０１５／１１７０４６号公報
【特許文献２】米国特許公開第２００４／０２６０１９４号公報
【発明の概要】
【発明が解決しようとする課題】
【０００５】
職場によっては、壁に備え付けのアルコール呼気検査装置が据えられているところがある。労働者は、作業を開始する前に検査に合格する必要があり得る。いくつかの国では、結核などの感染症が蔓延しており、労働者に、同じ呼気検査装置を使用して検査を行うという健康上のリスクを与えている。
【０００６】
好ましい実施形態は、感染症の拡散の可能性を最小化するための改善された呼気検査装置を提供する。
【課題を解決するための手段】
【０００７】
本発明の一態様によれば、呼気検査装置であって、
呼気者からの呼気中の向精神物質を感知するためのセンサと、
呼気が呼気者に戻らないように呼気を誘導する呼気ガイドと
を含む、呼気検査装置が提供される。
【０００８】
ガイドは、感染症の拡散の可能性を最小限にするように、呼気者に戻されないように呼気を誘導する。
【０００９】
ガイドは、呼気者から呼気を受け入れるための呼気レセプタクルを含むことができる。レセプタクルは、漏斗を含むことができる。
【００１０】
ガイドは、受け入れられた呼気を呼気者に戻されないように方向転換させる呼気方向転換手段をさらに含むことができる。呼気方向転換手段は、漏斗を含むことができる。呼気方向転換手段は、ガイドを受け入れるためのウェルをさらに含むことができる。ガイドは、漏斗を支持する壁を含むことができる。壁は、方向転換された呼気が通過する1つまたは複数の開口を画定することができる。
【００１１】
呼気検査装置は、検査の結果を表示するディスプレイをさらに含むことができる。結果は合格または不合格の可能性がある。
【００１２】
本発明の他の態様によれば、呼気検査装置のための呼気ガイドであって、
呼気者から呼気を受け入れるための呼気レセプタクルと、
受け入れた呼気を、呼気者に戻らないように方向転換させるための呼気方向転換手段と
を含む、呼気ガイドが提供される。
【００１３】
本明細書に記載された特徴のいずれかは、本発明の範囲内で本明細書に記載される他の特徴のうちの任意の1つまたは複数との任意の組み合わせにおいて組み合わせることができる。
【００１４】
本発明の好ましい特徴、実施形態および変形は、当業者が本発明を実施するのに十分な情報を提供する以下の詳細な説明から明らかに成り得る。詳細な説明は、決して本発明の前述の概要の範囲を限定するものと考えられるべきではない。詳細な説明は、以下のような複数の図面を参照する。
【図面の簡単な説明】
【００１５】
【図１】本発明の一実施形態による呼気検査装置の正面図である。
【図２】図1の呼気検査装置の概略図である。
【図３】図1の呼気検査装置の呼気ガイドの斜視図である。
【発明を実施するための形態】
【００１６】
本発明の一実施形態によれば、図1に示されるようなアルコール呼気検査装置100が提供される。呼気検査装置100は、呼気が検査の際に呼気者（すなわち、息を吐く人）に戻らないように呼気を誘導する呼気ガイド102を含む。呼気者は、約10cmの距離から約2秒間、ガイドへと息を吐く。呼気者に戻されないように呼気を誘導する際に、ガイド102は、感染症の拡散の可能性を最小限にする。
【００１７】
図2を参照すると、呼気ガイド102は、呼気者から呼気202を受け入れる呼気レセプタクル200を含む。レセプタクル200は、漏斗204と整合するセンサ206に向かって呼気202を注ぎ込むための漏斗204を含む。センサ206は、呼気202内の向精神物質を感知する。
【００１８】
ガイド102は、感知後に、受け入れられた呼気210を呼気者に戻されないように方向転換させる呼気方向転換手段208をさらに含む。呼気方向転換手段208は、漏斗204の下面と、ガイド102を受け入れる検査装置100の面内のウェル212とを含む。
【００１９】
図2および図3に最もよく示されるように、ガイド102は、漏斗204を支持する側壁214をさらに含む。壁214は、開口216を画定し、それを通じて、方向転換された呼気210が、呼気者に戻るのではなく側方に出る。この点に関して、ガイド102は大きな利点を提供し、それが存在しない場合、感染した病気を運ぶ可能性のある以前の呼気者からの粘液とともに、吹き出される空気は単にウェル212から呼気者に戻ってしまう。
【００２０】
図2に最もよく示されるように、呼気検査装置100は、感知された呼気を分析し、検査結果を決定するための分析装置220を含む。分析装置220は、不合格に対するアルコールの存在を検出するだけでよく、受動的な合格または不合格のいずれかの結果を発行する。不合格の程度（すなわち、血中アルコール濃度）を感知するために必要とされる圧力センサまたは流量モニタは必要ない。
【００２１】
図1に最もよく示されるように、呼気検査装置100は、検査の結果を表示するためのディスプレイ104を含む。
【００２２】
当業者であれば、本発明の範囲から逸脱することなく多くの実施形態および変形が可能であることを理解するであろう。
【００２３】
法律に従って、本発明は、多かれ少なかれ構造的または系統的特徴に特有の文言で記載されている。本明細書に記載された手段は、本発明を実施する好ましい形態を含むため、本発明は図示または記載された特定の特徴に限定されないことを理解されたい。
【００２４】
本明細書を通じて、「1つの実施形態」または「一実施形態」は、その実施形態に関連して説明される特定の特徴、構造、または特性が、本発明の少なくとも1つの実施形態に含まれることを意味する。したがって、本明細書全体にわたる様々な場所における「1つの実施形態において」または「一実施形態において」という表現の出現は、必ずしもすべて同じ実施形態を指しているわけではない。さらに、特定の特徴、構造、または特性は、1つまたは複数の組み合わせで任意の適切な方法において組み合わせることができる。
【図１】
2019515305.tif 000003
【図２】
2019515305.tif 000004
【図３】
2019515305.tif 000005
【手続補正書】
【提出日】平成29年11月27日(2017.11.27)
【手続補正１】
【補正対象書類名】明細書
【補正対象項目名】０００７
【補正方法】変更
【補正の内容】
【０００７】
本発明の一態様によれば、呼気検査装置であって、
呼気者からの呼気中の向精神物質を感知するためのセンサであり、向精神物質は、アルコールを含む、センサと、
呼気が呼気者に直接的に戻らないように呼気を横方向に誘導する呼気ガイドと
を含む、呼気検査装置が提供される。
【手続補正２】
【補正対象書類名】明細書
【補正対象項目名】００１２
【補正方法】変更
【補正の内容】
【００１２】
本発明の他の態様によれば、呼気検査装置のための呼気ガイドであって、
呼気者からの呼気中の向精神物質を感知するためのセンサを含み、向精神物質は、アルコールを含み、
ガイドは、
呼気者から呼気を受け入れるための呼気レセプタクルと、
受け入れた呼気を、呼気者に直接的に戻らないように横方向に方向転換させるための呼気方向転換手段と、
を含む、呼気ガイドが提供される。
【手続補正３】
【補正対象書類名】特許請求の範囲
【補正対象項目名】全文
【補正方法】変更
【補正の内容】
【特許請求の範囲】
【請求項１】
呼気検査装置であって、
呼気者からの呼気中の向精神物質を感知するためのセンサと、
ここで、前記向精神物質は、アルコールを含む、
前記呼気が前記呼気者に直接的に戻らないように前記呼気を横方向に誘導する呼気ガイドと
を含む、呼気検査装置。
【請求項２】
前記ガイドは、感染症の拡散の可能性を最小限にするように、前記呼気者に戻されないように前記呼気を誘導する、請求項1に記載の呼気検査装置。
【請求項３】
前記ガイドは、前記呼気者から呼気を受け入れるための呼気レセプタクルを含む、請求項1または2に記載の呼気検査装置。
【請求項４】
前記レセプタクルは、漏斗を含む、請求項3に記載の呼気検査装置。
【請求項５】
前記呼気ガイドは、前記受け入れられた呼気を前記呼気者に直接的に戻らないように方向転換させる呼気方向転換手段を含む、請求項1〜4のいずれか一項に記載の呼気検査装置。
【請求項６】
前記呼気方向転換手段は、前記漏斗を含む、請求項4に従属するときの請求項5に記載の呼気検査装置。
【請求項７】
前記ガイドを受け入れるためのウェルをさらに含む、請求項1〜6のいずれか一項に記載の呼気検査装置。
【請求項８】
前記ガイドは、漏斗を支持する壁を含む、請求項1〜7のいずれか一項に記載の呼気検査装置。
【請求項９】
前記壁は、方向転換された呼気が通過する1つまたは複数の開口を画定する、請求項8に記載の呼気検査装置。
【請求項１０】
前記検査の結果を表示するディスプレイをさらに含む、請求項1〜9のいずれか一項に記載の呼気検査装置。
【請求項１１】
前記結果は合格または不合格である、請求項10に記載の呼気検査装置。
【請求項１２】
呼気検査装置のための呼気ガイドであって、
呼気者からの呼気中の向精神物質を感知するためのセンサを含み、前記向精神物質は、アルコールを含み、
前記呼気ガイドは、
呼気者から呼気を受け入れるための呼気レセプタクルと、
前記受け入れた呼気を、前記呼気者に直接的に戻らないように横方向に方向転換させるための呼気方向転換手段と、
を含む、呼気ガイド。
【請求項１３】
前記レセプタクルは、漏斗を含む、請求項12に記載の呼気ガイド。
【請求項１４】
前記呼気方向転換手段は、前記漏斗の下面を含む、請求項13に記載の呼気ガイド。
【請求項１５】
前記漏斗が円弧状である、請求項13または14に記載の呼気ガイド。
【請求項１６】
ウェルに受け入れられる、請求項12〜15のいずれか一項に記載の呼気ガイド。
【請求項１７】
漏斗を支持する壁をさらに含む、請求項12〜16のいずれか一項に記載の呼気ガイド。
【請求項１８】
前記壁は、方向転換された呼気が通過する1つまたは複数の開口を画定する、請求項17に記載の呼気ガイド。
【請求項１９】
前記壁は円筒状である、請求項17または18に記載の呼気ガイド。
【請求項２０】
漏斗と整合する前記センサをさらに含む、請求項12〜19のいずれか一項に記載の呼気ガイド。
【手続補正書】
【提出日】平成30年2月21日(2018.2.21)
【手続補正１】
【補正対象書類名】明細書
【補正対象項目名】０００７
【補正方法】変更
【補正の内容】
【０００７】
本発明の一態様によれば、呼気検査装置であって、
呼気者からの呼気中の向精神物質を感知するためのセンサであり、向精神物質は、アルコールを含む、センサと、
呼気ガイドであり、
少なくとも1つの壁と、
呼気者からの呼気をセンサに向けて誘導するための外向きに面する表面と、
呼気が呼気者に直接的に戻らないように呼気を横方向に誘導するための内向きに面する表面とを含む、呼気ガイドと、
を含み、
内向きに面する表面および外向きに面する表面は、壁の対向する側面である、呼気検査装置が提供される。
【手続補正２】
【補正対象書類名】明細書
【補正対象項目名】００１２
【補正方法】変更
【補正の内容】
【００１２】
本発明の他の態様によれば、呼気検査装置のための呼気ガイドであって、呼気者からの呼気中の向精神物質を感知するためのセンサを含み、向精神物質は、アルコールを含み、ガイドは、
呼気者から呼気を受け入れるための呼気レセプタクルと、
呼気方向転換装置であり、
少なくとも1つの壁と、
呼気者からの呼気をセンサに向けて誘導するための外向きに面する表面と、
受け入れた呼気を、呼気者に直接的に戻らないように横方向に方向転換させるための内向きに面する表面と
を含む、呼気方向転換装置と
を含み、
内向きに面する表面および外向きに面する表面は、壁の対向する側面である、呼気ガイドが提供される。
【手続補正３】
【補正対象書類名】特許請求の範囲
【補正対象項目名】全文
【補正方法】変更
【補正の内容】
【特許請求の範囲】
【請求項１】
呼気検査装置であって、
呼気者からの呼気中の向精神物質を感知するためのセンサであり、前記向精神物質は、アルコールを含む、センサと、
呼気ガイドであり、
少なくとも1つの壁と、
呼気者からの呼気を前記センサに向けて誘導するための外向きに面する表面と、
前記呼気が前記呼気者に直接的に戻らないように前記呼気を横方向に誘導するための内向きに面する表面とを含む、呼気ガイドと、
を含み、
前記内向きに面する表面および前記外向きに面する表面は、前記壁の対向する側面である、呼気検査装置。
【請求項２】
前記ガイドは、感染症の拡散の可能性を最小限にするように、前記呼気が前記呼気者に戻るのを防止するための少なくとも1つの部分障壁を形成する、請求項1に記載の呼気検査装置。
【請求項３】
前記ガイドは、前記呼気者から呼気を受け入れるための呼気レセプタクルを含む、請求項1または2に記載の呼気検査装置。
【請求項４】
前記レセプタクルは、漏斗を含む、請求項3に記載の呼気検査装置。
【請求項５】
前記呼気ガイドは、前記受け入れられた呼気を前記呼気者に直接的に戻らないように方向転換させる呼気方向転換手段を含む、請求項1〜4のいずれか一項に記載の呼気検査装置。
【請求項６】
前記呼気方向転換手段は、前記漏斗を含む、請求項4に従属するときの請求項5に記載の呼気検査装置。
【請求項７】
前記ガイドを受け入れるためのウェルをさらに含み、
前記ウェルは、
周縁によって画定される底壁と、前記底壁から延伸する少なくとも1つの側壁とを含み、
前記少なくとも1つの側壁または複数の側壁は、前記底壁の周縁周りに完全に延伸する、請求項1〜6のいずれか一項に記載の呼気検査装置。
【請求項８】
前記ガイドは、漏斗を支持するための支持壁を含む、請求項1〜7のいずれか一項に記載の呼気検査装置。
【請求項９】
前記支持壁は、方向転換された呼気が通過する1つまたは複数の開口を画定する、請求項8に記載の呼気検査装置。
【請求項１０】
前記検査の結果を表示するディスプレイをさらに含む、請求項1〜9のいずれか一項に記載の呼気検査装置。
【請求項１１】
前記結果は合格または不合格である、請求項10に記載の呼気検査装置。
【請求項１２】
呼気検査装置のための呼気ガイドであって、呼気者からの呼気中の向精神物質を感知するためのセンサを含み、前記向精神物質は、アルコールを含み、前記呼気ガイドは、
呼気者から呼気を受け入れるための呼気レセプタクルと、
呼気方向転換装置であり、
少なくとも１つの壁と、
呼気者からの呼気を前記センサに向けて誘導するための外向きに面する表面と、
前記受け入れた呼気を、前記呼気者に直接的に戻らないように横方向に方向転換させるための内向きに面する表面とを含む、呼気方向転換装置と、
を含み、
前記内向きに面する表面および前記外向きに面する表面は、前記壁の対向する側面である、呼気ガイド。
【請求項１３】
前記レセプタクルは、漏斗を含む、請求項12に記載の呼気ガイド。
【請求項１４】
前記呼気方向転換手段は、前記漏斗の下面を含む、請求項13に記載の呼気ガイド。
【請求項１５】
前記漏斗が円弧状である、請求項13または14に記載の呼気ガイド。
【請求項１６】
ウェルに受け入れられ、
前記ウェルは、
周縁によって画定される底壁と、
前記底壁から延伸する少なくとも1つの側壁とを含み、
前記少なくとも1つの側壁または複数の側壁は、前記底壁の周縁周りに完全に延伸する、請求項12〜15のいずれか一項に記載の呼気ガイド。
【請求項１７】
前記漏斗を支持するための支持壁をさらに含む、請求項13〜15のいずれか一項に記載の呼気ガイド。
【請求項１８】
前記支持壁は、方向転換された呼気が通過する1つまたは複数の開口を画定する、請求項17に記載の呼気ガイド。
【請求項１９】
前記支持壁は円筒状である、請求項17または18に記載の呼気ガイド。
【請求項２０】
前記漏斗と整合する前記センサをさらに含む、請求項13〜19のいずれか一項に記載の呼気ガイド。
【請求項２１】
前記内向きに面する表面と前記支持壁とは互いに対して角度を付けられており、前記角度は鋭角である、請求項8〜9または請求項17〜19のいずれか一項に記載の呼気ガイド。
【請求項２２】
前記呼気ガイドまたは前記呼気方向転換装置の前記内向きに面する表面は凹面である、請求項12〜21のいずれか一項に記載の呼気ガイド。
【国際調査報告】
2019515305.tif 000006
2019515305.tif 000007
2019515305.tif 000008